【誤訳訂正書】
【提出日】平成31年4月22日(2019.4.22)
【誤訳訂正１】
【訂正対象書類名】明細書
【訂正対象項目名】００３５
【訂正方法】変更
【訂正の内容】
【００３５】
３ＧＰＰ  ＴＳ  ３６．２１３は次のように述べている：
７  物理下りリンク共有チャネル関連手順
ＵＥがＳＣＧで構成される場合、特に明記しない限り、ＵＥは、ＭＣＧ及びＳＣＧの両方に対して、この節で説明する手順を適用するものとする。
−  この手順がＭＣＧに適用されるとき、本節の用語「セカンダリセル」、「複数のセカンダリセル」、「サービングセル」及び「複数のサービングセル」は、特に明記しない限り、それぞれＭＣＧに属するセカンダリセル、複数のセカンダリセル、サービングセル又は複数のサービングセルを指す。用語「サブフレーム」及び「複数のサブフレーム」は、ＭＣＧに属するサブフレーム又は複数のサブフレームを指す。
−  この手順がＳＣＧに適用されるとき、本節の用語「セカンダリセル」、「複数のセカンダリセル」、「サービングセル」及び「複数のサービングセル」は、特に明記しない限り、それぞれＳＣＧに属するセカンダリセル、複数のセカンダリセル（ＰＳＣｅｌｌを含まない）、サービングセル、複数のサービングセルを指す。本節の用語「プライマリセル」は、ＳＣＧのＰＳＣｅｌｌを指す。用語「サブフレーム」及び「複数のサブフレーム」は、ＳＣＧに属するサブフレーム又は複数のサブフレームを指す。
ＵＥがＬＡＡ  Ｓｃｅｌｌで設定される場合、特に明記しない限り、ＵＥは、ＬＡＡ  Ｓｃｅｌｌのためのフレーム構造タイプ１を想定して、本節で説明する手順を適用するものとする。
ＦＤＤの場合、１サービングセルあたり最大８つの下りリンクＨＡＲＱプロセスが存在するものとする。
ＦＤＤ−ＴＤＤであって、プライマリセルフレーム構造タイプ１の場合、１サービングセルあたり最大８つの下りリンクＨＡＲＱプロセスが存在するものとする。
ＴＤＤであって、任意のサービングセルに対してパラメータEIMTA-MainConfigServCell-r12で設定されないＵＥについて、ＵＥが１つのサービングセルで設定される場合、又はＵＥが複数のサービングセルで設定され、すべての設定されたサービングセルのＴＤＤ  ＵＬ／ＤＬ構成が同じである場合、１サービングセルあたりの下りリンクＨＡＲＱプロセスの最大数は、表７−１に示すように、ＵＬ／ＤＬ構成（表４．２−２の［３］）によって決定されるものとする。
ＴＤＤの場合に、ＵＥが複数のサービングセルで設定され、少なくとも２つの設定されたサービングセルのＴＤＤ  ＵＬ／ＤＬ構成が同じでない場合、又はＵＥが少なくとも１つのサービングセルに対してパラメータEIMTA-MainConfigServCell-r12で設定される場合、あるいはＦＤＤ−ＴＤＤであって、プライマリセルフレーム構造タイプ２であり、サービングセルフレーム構造タイプ２である場合に、サービングセルに対する下りリンクＨＡＲＱプロセスの最大数は、表７−１に示すように決定されるものとし、ここで、表７−１の「ＴＤＤ  ＵＬ／ＤＬ構成」は、サービングセルに対するＤＬ参照ＵＬ／ＤＬ構成（第１０．２項に定義）を参照するものとする。
ＦＤＤ−ＴＤＤであって、プライマリセルフレーム構造タイプ２であり、サービングセルフレーム構造タイプ１である場合、サービングセルに対する下りリンクＨＡＲＱプロセスの最大数は、表７−２に示すように、サービングセルに対するＤＬ参照ＵＬ／ＤＬ構成（１０．２項に定義）によって決定されるものとする。
ＣＥＭｏｄｅＢで設定されたＢＬ／ＣＥ  ＵＥは、２つより多い下りリンクＨＡＲＱプロセスをサポートすることは期待されない。
ＴＤＤであって、ＣＥＭｏｄｅＡで設定されたＢＬ／ＣＥについて、サービングセルに対する下りリンクＨＡＲＱプロセスの最大数は、表７−３に示すように決定されるものとする。
［８］で定義された専用ブロードキャストＨＡＲＱプロセスは、ＦＤＤ、ＴＤＤ及びＦＤＤ−ＴＤＤに対するＨＡＲＱプロセスの最大数の一部としてカウントされない。
“Ｍａｘｉｍｕｍ  ｎｕｍｂｅｒ  ｏｆ  ＤＬ  ＨＡＲＱ  ｐｒｏｃｅｓｓｅｓ  ｆｏｒ  ＴＤＤ”と題する、３ＧＰＰ  ＴＲ  ３６．２１３  Ｖ１３．１．１の表７−１は、図１４としての再現されている。
“Ｍａｘｉｍｕｍ  ｎｕｍｂｅｒ  ｏｆ  ＤＬ  ＨＡＲＱ  ｐｒｏｃｅｓｓｅｓ  ｆｏｒ  ＦＤＤ−ＴＤＤ，  ｐｒｉｍａｒｙ  ｃｅｌｌ  ｆｒａｍｅ  ｓｔｒｕｃｔｕｒｅ  ｔｙｐｅ  ２，  ａｎｄ  ｓｅｒｖｉｎｇ  ｃｅｌｌ  ｆｒａｍｅ  ｓｔｒｕｃｔｕｒｅ  ｔｙｐｅ  １”と題する、３ＧＰＰ  ＴＲ  ３６．２１３  Ｖ１３．１．１の表７−２は、図１５として再現されている。
“Ｍａｘｉｍｕｍ  ｎｕｍｂｅｒ  ｏｆ  ＤＬ  ＨＡＲＱ  ｐｒｏｃｅｓｓｅｓ  ｆｏｒ  ＴＤＤ  （ＵＥ  ｃｏｎｆｉｇｕｒｅｄ  ｗｉｔｈ  ＣＥＭｏｄｅＡ）”と題する、３ＧＰＰ  ＴＲ  ３６．２１３  Ｖ１３．１．１の表７−３は、図１６として再現されている。
７．１  物理下りリンク共有チャネルを受信するためのＵＥ手順
上位レイヤパラメータmbsfn-SubframeConfigList若しくはmbsfn-SubframeConfigList-v12x0、又はサービングセルｃのlaa-SCellSubframeConfigによって示されるサブフレームを除き、ＵＥは、
−  サブフレームにおいて、ＵＥのために意図された、ＤＣＩフォーマット１、１Ａ、１Ｂ、１Ｃ、１Ｄ、２、２Ａ、２Ｂ、２Ｃ、又は２Ｄを有する、サービングセルのＰＤＣＣＨを検出すると、又は
−  サブフレームにおいて、ＵＥのために意図された、ＤＣＩフォーマット１、１Ａ、１Ｂ、１Ｄ、２、２Ａ、２Ｂ、２Ｃ、又は２Ｄを有する、サービングセルのＥＰＤＣＣＨを検出すると、
上位レイヤで定義されたトランスポートブロックの数の制限を用いて同じサブフレーム内の対応するＰＤＳＣＨをデコードするものとする。
上位レイヤパラメータfdd-DownlinkOrTddSubframeBitmapBRで設定されたＢＬ／ＣＥ  ＵＥについて、上位レイヤパラメータはＢＬ／ＣＥ  ＤＬサブフレームのセットを示す。
上位レイヤパラメータfdd-DownlinkOrTddSubframeBitmapBRで設定されないＢＬ／ＣＥ  ＵＥについて、上位レイヤパラメータmbsfn-SubframeConfigListで示されるもの以外のサブフレームはＢＬ／ＣＥ  ＤＬサブフレームとみなされる。
ＢＬ／ＣＥ  ＵＥは、ＵＥのために意図された、ＤＣＩフォーマット６−１Ａ、６−１Ｂ、６−２を有するＭＰＤＣＣＨを検出すると、上位レイヤで定義されたトランスポートブロックの数の制限を用いて、７．１．１１項で説明するように、１つ以上のＢＬ／ＣＥ  ＤＬサブフレームにおいて対応するＰＤＳＣＨをデコードするものとする。
ＵＥが複数のサービングセルで設定され、任意の２つの設定されたサービングセルのフレーム構造タイプが異なる場合、ＵＥはＦＤＤ−ＴＤＤキャリアアグリゲーション用に設定されるとみなされる。
ＭＢＭＳ受信を除き、ＵＥは、ＰＳＣｅｌｌでのＳＩ−ＲＮＴＩによってスクランブルされたＣＲＣを伴うＰＤＣＣＨを監視する必要はない。
ＵＥは、位置決め参照信号が、リソースブロックに存在しないと想定してもよく、ここで、ＵＥのために意図された、ＤＣＩフォーマット１Ａ又は１Ｃを有するＳＩ−ＲＮＴＩ又はＰ−ＲＮＴＩによってスクランブルされたＣＲＣを伴う検出されたＰＤＣＣＨに従ってＰＤＳＣＨを復号するものとする。
所与のサービングセルに対してキャリアインジケータフィールドで設定されたＵＥは、キャリアインジケータフィールドが、第９．１項で説明する共通の検索空間において、サービングセルのいかなるＰＤＣＣＨにも存在しないと想定するものとする。そうでなければ、設定されたＵＥは、ＰＤＣＣＨ／ＥＰＤＣＤＣＣＨ  ＣＲＣがＣ−ＲＮＴＩ又はＳＰＳ  Ｃ−ＲＮＴＩによってスクランブルされるときに、所与のサービングセルに対して、第９．１項で説明するＵＥ固有の検索空間に位置するＰＤＣＣＨ／ＥＰＤＣＤＣＣＨにキャリアインジケータフィールドが存在すると想定するものとする。
ＵＥがＳＩ−ＲＮＴＩによってスクランブルされたＣＲＣを伴うＰＤＣＣＨをデコードするように上位レイヤによって設定される場合、ＵＥは、表７．１−１で定義される任意の組み合わせに従ってＰＤＣＣＨと対応するＰＤＳＣＨをデコードするものとする。これらのＰＤＣＣＨに対応するＰＤＳＣＨのスクランブル初期化は、ＳＩ−ＲＮＴＩによる。
“ＰＤＣＣＨ  ａｎｄ  ＰＤＳＣＨ  ｃｏｎｆｉｇｕｒｅｄ  ｂｙ  ＳＩ−ＲＮＴＩ”と題する、３ＧＰＰ  ＴＲ  ３６．２１３  Ｖ１３．１．１の表７．１−１は、図１７として再現されている。
ＵＥがＰ−ＲＮＴＩによってスクランブルされたＣＲＣを伴うＰＤＣＣＨをデコードするように上位レイヤによって設定される場合、ＵＥは、表７．１−２で定義される任意の組み合わせに従ってＰＤＣＣＨ及び対応するＰＤＳＣＨをデコードするものとする。
これらのＰＤＣＣＨに対応するＰＤＳＣＨのスクランブル初期化は、Ｐ−ＲＮＴＩによる。
ＵＥがＰ−ＲＮＴＩによってスクランブルされたＣＲＣを伴うＭＰＤＣＣＨをデコードするように上位レイヤによって設定される場合、ＵＥは、表７．１−２Ａで定義される任意の組み合わせに従ってＭＰＤＣＣＨ及び任意の対応するＰＤＳＣＨをデコードするものとする。
これらのＭＰＤＣＣＨに対応するＰＤＳＣＨのスクランブル初期化は、Ｐ−ＲＮＴＩによる。
ＵＥは、ＰＳＣｅｌｌでのＰ−ＲＮＴＩによってスクランブルされたＣＲＣを伴うＰＤＣＣＨを監視する必要はない。
ＰＤＣＣＨ  ａｎｄ  ＰＤＳＣＨ  ｃｏｎｆｉｇｕｒｅｄ  ｂｙ  Ｐ−ＲＮＴＩ”と題する、３ＧＰＰ  ＴＲ  ３６．２１３  Ｖ１３．１．１の表７．１−２は、図１８として再現されている。
“ＭＰＤＣＣＨ  ａｎｄ  ＰＤＳＣＨ  ｃｏｎｆｉｇｕｒｅｄ  ｂｙ  Ｐ−ＲＮＴＩ”と題する、３ＧＰＰ  ＴＲ  ３６．２１３  Ｖ１３．１．１の表７．１−２Ａは、図１９として再現されている。
ＵＥがＲＡ−ＲＮＴＩによってスクランブルされたＣＲＣを伴うＰＤＣＣＨをデコードするように上位レイヤによって設定される場合、ＵＥは、表７．１−３で定義される任意の組み合わせに従ってＰＤＣＣＨと対応するＰＤＳＣＨをデコードするものとする。これらのＰＤＣＣＨに対応するＰＤＳＣＨのスクランブル初期化は、ＲＡ−ＲＮＴＩによる。
ＵＥがＲＡ−ＲＮＴＩによってスクランブルされたＣＲＣを伴うＭＰＤＣＣＨをデコードするように上位レイヤによって設定される場合、ＵＥは、表７．１−３Ａで定義される任意の組み合わせに従ってＭＰＤＣＣＨと対応するＰＤＳＣＨをデコードするものとする。これらのＭＰＤＣＣＨに対応するＰＤＳＣＨのスクランブル初期化は、ＲＡ−ＲＮＴＩによる。
ＲＡ−ＲＮＴＩと、Ｃ−ＲＮＴＩ又はＳＰＳ  Ｃ−ＲＮＴＩのいずれかとが同じサブフレームに割り当てられるとき、ＵＥは、Ｃ−ＲＮＴＩ又はＳＰＳ  Ｃ−ＲＮＴＩによってスクランブルされたＣＲＣを伴うＰＤＣＣＨ／ＥＰＤＣＤＣＣＨによって示されるプライマリセルでのＰＤＳＣＨをデコードする必要はない。
［…］
１０．２  上りリンクＨＡＲＱ−ＡＣＫタイミング
ＴＤＤの場合に、あるいはＦＤＤ−ＴＤＤであって、プライマリセルフレーム構造タイプ２の場合に、又はＦＤＤ−ＴＤＤであって、プライマリセルフレーム構造タイプ１の場合に、ＵＥがサービングセルに対してEIMTA-MainConfigServCell-r12で設定される場合、第１０．２項のサービングセルの「ＵＬ／ＤＬ構成」とは、特に明記されない限り、サービングセルに対するパラメータeimta-HARQ-ReferenceConfig-r12によって与えられるＵＬ／ＤＬ構成を指す。
非ＢＬ／ＣＥ  ＵＥの場合、ＦＤＤの場合、又はＦＤＤ−ＴＤＤであって、プライマリセルフレーム構造タイプ１の場合、ＵＥは、サブフレームｎ−４において、ＵＥのために意図されたＰＤＳＣＨ送信であって、それに対してＨＡＲＱ−ＡＣＫが提供されるものとするＰＤＳＣＨ送信を検出すると、サブフレームｎにおいてＨＡＲＱ−ＡＣＫ応答を送信するものとする。ＨＡＲＱ−ＡＣＫの繰り返しが有効な場合、サブフレームｎ−４においてＵＥのために意図されたＰＤＳＣＨ送信であって、それに対してＨＡＲＱ−ＡＣＫ応答が提供されるものとするＰＤＳＣＨ送信を検出すると、ＵＥがサブフレームｎ−ＮＡＮＲｅｐ−３，…，ｎ−５におけるＰＤＳＣＨ送信に対応するサブフレームｎにおけるＨＡＲＱ−ＡＣＫの送信を繰り返さない場合、ＵＥは、
−  サブフレームｎ，ｎ＋１，ｎ＋ＮＡＮＲｅｐ−１において、ＰＵＣＣＨで（サブフレームｎ−４で検出されたＰＤＳＣＨ送信に対応する）ＨＡＲＱ−ＡＣＫ応答のみを送信するものとする；
−  サブフレームｎ，ｎ＋１，ｎ＋ＮＡＮＲｅｐ−１において、いかなる信号／チャネルも送信しないものとする；
−  サブフレームｎ−３，…，ｎ＋ＮＡＮＲｅｐ−５において、任意の検出されたＰＤＳＣＨ送信に対応するいかなるＨＡＲＱ−ＡＣＫ応答の繰り返しを送信しないものとする。
ＴＤＤであって、少なくとも１つのサービングセルに対してEIMTA-MainConfigServCell-r12で設定されるＵＥについて、ＵＥが１つのサービングセルで設定される場合、又はＵＥが複数のサービングセルで設定され、すべての設定されたサービングセルのＴＤＤ  ＵＬ／ＤＬ構成が同じである場合、サービングセルに対するＤＬ参照ＵＬ／ＤＬ構成は、サービングセルのＵＬ／ＤＬ構成である。
ＦＤＤ−ＴＤＤであって、プライマリセルフレーム構造タイプ１の場合に、サービングセルがフレーム構造タイプ２のセカンダリサービングセルである場合、サービングセルに対するＤＬ参照ＵＬ／ＤＬ構成は、サービングセルのＵＬ／ＤＬ構成である。
ＴＤＤの場合に、ＵＥが複数のサービングセルで設定され、少なくとも２つのサービングセルが異なるＵＬ／ＤＬ構成を有し、サービングセルがプライマリセルである場合、プライマリセルＵＬ／ＤＬ構成は、サービングセルに対するＤＬ参照ＵＬ／ＤＬ構成である。
ＦＤＤ−ＴＤＤであって、プライマリセルフレーム構造タイプ２の場合に、サービングセルがプライマリセルである場合、又はサービングセルがフレーム構造タイプ１のセカンダリセルである場合、プライマリセルＵＬ／ＤＬ構成は、サービングセルに対するＤＬ参照ＵＬ／ＤＬ構成である。
ＴＤＤの場合に、ＵＥが複数のサービングセルで設定され、少なくとも２つのサービングセルが異なるＵＬ／ＤＬ構成を有し、ＵＥがharqTimingTDD  =  TRUEで設定されず、サービングセルがセカンダリセルである場合に、又はＦＤＤ−ＴＤＤであって、プライマリセルフレーム構造タイプ２であり、ＵＥがharqTimingTDD  =  TRUEで設定されず、サービングセルがフレーム構造タイプ２のセカンダリセルである場合に
−  （プライマリセルＵＬ／ＤＬ構成、サービスセルＵＬ／ＤＬ構成）によって形成されるペアが、表１０．２−１のＳｅｔ１に属する場合、あるいは
−  ＵＥがサービングセルをスケジューリングするために別のサービングセルにおけるＰＤＣＣＨ／ＥＰＤＣＣＨを監視するように設定されず、（プライマリセルＵＬ／ＤＬ構成、サービングセルＵＬ／ＤＬ構成）によって形成されるペアが、表１０．２−１のＳｅｔ２又はＳｅｔ３に属する場合、又は
−  ＵＥがサービングセルをスケジューリングするために別のサービングセルにおけるＰＤＣＣＨ／ＥＰＤＣＣＨを監視するように設定され、（プライマリセルＵＬ／ＤＬ構成、サービングセルＵＬ／ＤＬ構成）によって形成されるペアが、表１０．２−１のＳｅｔ４又はＳｅｔ５に属する場合
サービングセルに対するＤＬ参照ＵＬ／ＤＬ構成は、表１０．２−１の対応するＳｅｔで定義される。
ＴＤＤの場合に、ＵＥが複数のサービングセルで設定され、少なくとも２つのサービングセルが異なるＵＬ／ＤＬ構成を有し、ＵＥがharqTimingTDD  =  TRUEで設定され、サービングセルがセカンダリセルである場合、又はＦＤＤ−ＴＤＤであって、プライマリセルフレーム構造タイプ２であり、ＵＥがharqTimingTDD  =  TRUEで設定され、サービングセルがフレーム構造タイプ２のセカンダリセルである場合
−  ＵＥがサービングセルをスケジューリングするために別のサービングセルにおけるＰＤＣＣＨ／ＥＰＤＣＣＨを監視するように設定され、（プライマリセルＵＬ／ＤＬ構成、サービングセルＵＬ／ＤＬ構成）によって形成されるペアが表１０．２−１のＳｅｔ１、Ｓｅｔ４又はＳｅｔ５に属する場合、サービングセルに対するＤＬ参照ＵＬ／ＤＬ構成は、表１０．２−１の対応するＳｅｔで定義される。
−  ＵＥがサービングセルをスケジューリングするために別のサービングセルにおけるＰＤＣＣＨ／ＥＰＤＣＣＨを監視するように設定されない場合、プライマリセルＵＬ／ＤＬ構成がサービングセルに対するＤＬ参照ＵＬ／ＤＬ構成である。
ＰＵＣＣＨフォーマット４又はＰＵＣＣＨフォーマット５で設定されないＵＥについて、ＴＤＤの場合に、ＵＥが複数のサービングセルで設定され、少なくとも２つのサービングセルが異なるＵＬ／ＤＬ構成を有する場合、あるいはＦＤＤ−ＴＤＤであって、プライマリセルフレーム構造タイプ２であり、少なくとも１つのサービングセルに対するＤＬ参照ＵＬ／ＤＬ構成がＴＤＤ  ＵＬ／ＤＬ構成５である場合、ＵＥは２つより多いサービングセルで設定されることは期待されない。
ＴＤＤであって、任意のサービングセルに対してEIMTA-MainConfigServCell-r12で設定されない非ＢＬ／ＣＥ  ＵＥについて、ＵＥが１つのサービングセルで設定される場合、又はＵＥが複数のサービングセルで設定され、すべてのサービングセルのＵＬ／ＤＬ構成が同じである場合、ＵＥは、サブフレームｎ−ｋ（ここで、ｋ∈Ｋであり、Ｋは表１０．１．３．１−１で定義される）内でＵＥのために意図されたＰＤＳＣＨ送信であって、それに対してＨＡＲＱ−ＡＣＫ応答が提供されるものとするＰＤＳＣＨ送信を検出すると、ＵＥは、ＵＬサブフレームｎにおいてＨＡＲＱ−ＡＣＫ応答を送信するものとする。
harqTimingTDD  =  TRUEで設定されないＵＥについて、ＴＤＤの場合に、ＵＥが複数のサービングセルで設定され、少なくとも２つのサービングセルが異なるＵＬ／ＤＬ構成を有する場合、又はＵＥが少なくとも１つのサービングセルに対してEIMTA-MainConfigServCell-r12で設定されている場合、あるいはＦＤＤ−ＴＤＤであって、プライマリセルフレーム構造タイプ２の場合に、サービングセルｃがフレーム構造タイプ２である場合、ＵＥは、サブフレームｎ−ｋ（ｋ∈Ｋｃである）内でＵＥのために意図されたＰＤＳＣＨ送信であって、それに対してＨＡＲＱ−ＡＣＫ応答が提供されるものとするＰＤＳＣＨ送信を検出すると、ＵＬサブフレームｎにおいてＨＡＲＱ−ＡＣＫ応答を送信する。ここで、セットＫｃは、サブフレームｎ−ｋがサービングセルｃに対するＤＬサブフレーム又は特別サブフレームに対応するようなｋ∈Ｋの値を含む。ここで、サービングセルｃのＤＬサブフレーム又は特別サブフレームは、ＵＥがサービングセルｃに対して上位レイヤのパラメータEIMTA-MainConfigServCell-r12で設定される場合に上位レイヤのパラメータeimta-HARQ-ReferenceConfig-r12に従う。ここで、表１０．１．３．１−１（ここで、表１０．１．３．１−１における「ＵＬ／ＤＬ構成」は「ＤＬ参照ＵＬ／ＤＬ構成」を指す）で定義されるＫは、サブフレームｎに関連付けられる。
harqTimingTDD  =TRUEで設定されているＵＥについて、ＴＤＤの場合に、ＵＥが複数のサービングセルで設定され、少なくとも２つのサービングセルが異なるＵＬ／ＤＬ構成を有する場合、又はＦＤＤ−ＴＤＤであって、プライマリセルフレーム構造タイプ２の場合に、サービングセルｃがフレーム構造タイプ２の場合
−  ＵＥがサービングセルｃをスケジューリングするために別のサービングセルにおけるＰＤＣＣＨ／ＥＰＤＣＣＨを監視するように設定されている場合、ＵＥは、サービングセルｃに対するサブフレームｎ−ｋ（ここで、ｋ∈Ｋｃである）内でＵＥのために意図されたＰＤＳＣＨ送信であって、それに対してＨＡＲＱ−ＡＣＫ応答が提供されるものとするＰＤＳＣＨ送信を検出すると、ＵＬサブフレームｎにおいてＨＡＲＱ−ＡＣＫ応答を送信するものとする。ここで、セットＫｃは、サブフレームｎ−ｋがサービングセルｃに対するＤＬサブフレーム又は特別サブフレームに対応するようなｋ∈Ｋの値を含む。ここで、表１０．１．３．１−１（ここで、表１０．１．３．１−１における「ＵＬ／ＤＬ構成」は「ＤＬ参照ＵＬ／ＤＬ構成」を指す）で定義されるＫは、サブフレームｎに関連付けられる。
−  ＵＥがサービングセルｃをスケジューリングするために別のサービングセルにおけるＰＤＣＣＨ／ＥＰＤＣＣＨを監視するように設定されていない場合、ＵＥは、サービングセルｃに対するサブフレームｎ−ｋ（ここで、ｋ∈Ｋｃである）内でＵＥのために意図されたＰＤＳＣＨ送信であって、それに対してＨＡＲＱ−ＡＣＫ応答が提供されるものとするＰＤＳＣＨ送信を検出すると、ＵＬサブフレームｎにおいてＨＡＲＱ−ＡＣＫ応答を送信するものとする。ここで、セットＫｃは、サブフレームｎ−ｋがサービングセルｃに対するＤＬサブフレーム又は特別サブフレームに対応するようなｋ∈Ｋの値を含む。ここで、表１０．１．３Ａ−１（ここで、表１０．１．３Ａ−１の「ＵＬ／ＤＬ構成」は「ＤＬ参照ＵＬ／ＤＬ構成」を指す）で定義されるＫは、サブフレームｎに関連付けられる。
非ＢＬ／ＣＥ  ＵＥについて、ＦＤＤ−ＴＤＤであって、プライマリセルフレーム構造タイプ２の場合に、サービングセルｃがフレーム構造タイプ１であり、ＵＥがサービングセルｃをスケジューリングするために別のサービングセルにおけるＰＤＣＣＨ／ＥＰＤＣＣＨを監視するように設定されていない場合、ＵＥは、サービングセルｃに対するサブフレームｎ−ｋ（ここで、ｋ∈Ｋｃ、Ｋｃ＝Ｋであって、Ｋは、表１０．１．３Ａ−１で定義される）内でＵＥのために意図されたＰＤＳＣＨ送信であって、それに対してＨＡＲＱ−ＡＣＫ応答が提供されるものとするＰＤＳＣＨ送信を検出すると、サブフレームｎにおいてＨＡＲＱ−ＡＣＫ応答を送信する。
ＦＤＤ−ＴＤＤであって、プライマリセルフレーム構造タイプ２の場合に、サービングセルｃがフレーム構造タイプ１であり、ＵＥがサービングセルｃをスケジューリングするために別のサービングセルにおけるＰＤＣＣＨ／ＥＰＤＣＣＨを監視するように設定されている場合、ＵＥは、サービングセルｃに対するサブフレームｎ−ｋ（ここで、ｋ∈Ｋｃ、Ｋｃ＝Ｋであって、Ｋは、表１０．１．３−１で定義される）内でＵＥのために意図されたＰＤＳＣＨ送信であって、それに対してＨＡＲＱ−ＡＣＫ応答が提供されるものとするＰＤＳＣＨ送信を検出すると、サブフレームｎにおいてＨＡＲＱ−ＡＣＫ応答を送信する。ここで、表１０．１．３．１−１の「ＵＬ／ＤＬ構成」は、サービングセルｃの「ＤＬ参照ＵＬ／ＤＬ構成」を指す。
ＴＤＤであって、ＨＡＲＱ−ＡＣＫ繰り返しが有効である場合、サブフレームｎ−ｋ（ここで、ｋ∈Ｋであって、Ｋは、表１０．１．３−１で定義される）内でＵＥのために意図されたＰＤＳＣＨ送信であって、それに対してＨＡＲＱ−ＡＣＫ応答が提供されるものとするＰＤＳＣＨ送信を検出すると、ＵＥが下りリンク又はサブフレームｎ−ｋより前の特別なサブフレームにおけるＰＤＳＣＨ送信に対応する、サブフレームｎにおいていかなるＨＡＲＱ−ＡＣＫの送信を繰り返さない場合、ＵＥは、
−  ｎ１，…，ｎＡＮＲｅｐ−１と示されるＵＬサブフレームｎ及び次のＮＡＮＲｅｐ−１のＵＬサブフレームにおいてＰＵＣＣＨで（サブフレームｎ−ｋにおいて検出されたＰＤＳＣＨ送信に対応する）ＨＡＲＱ−ＡＣＫ応答のみを送信するものとする；
−  ＵＬサブフレームｎ，ｎ＋１，…，ｎＡＮＲｅｐ−１において、いかなる信号／チャネルも送信しないものとする；
−  サブフレームｎｉ−ｋにおいて、任意に検出されたＰＤＳＣＨ送信に対応するいかなるＨＡＲＱ−ＡＣＫ応答の繰り返しを送信しないものとする。ここで、ｋ∈Ｋｃであり、Ｋｉは表１０．１．３．１−１で定義され、ＵＬサブフレームｎｉに対応するセットであり、１≦ｉ≦ＮＡＮＲｅｐ−１である。
ＴＤＤであって、ＨＡＲＱ−ＡＣＫバンドリングの場合に、ＵＥが、７．３項で説明するように、少なくとも１つの下りリンク割り当てがミスされたことを検出する場合、ＵＥは、ＨＡＲＱ−ＡＣＫが所与のサブフレームに存在する唯一のＵＣＩである場合、ＰＵＣＣＨでＨＡＲＱ−ＡＣＫを送信しないものとする。
ＦＤＤの場合、ＢＬ／ＣＥ  ＵＥは、ＵＥのために意図されたＰＤＳＣＨであって、ＨＡＲＱ−ＡＣＫが提供されるものとするＰＤＳＣＨを検出すると、ｉ＝０，１，…，Ｎ−１として、サブフレームｎ＋ｋｉにおいて、１０．１．２．１節に従って導出された同じ
【数１】
2018113689.tif 000001
を用いてＨＡＲＱ−ＡＣＫ応答を送信するものとする。ここで
−  サブフレームｎ−４は、ＰＤＳＣＨが送信される最後のサブフレームであり、
−  ０＝ｋ０＜ｋ１＜…，ｋＮ−１であり、
【数２】
2018113689.tif 000002
であり、ＰＤＳＣＨは競合解決を含まない場合、
【数３】
2018113689.tif 000003
は、上位レイヤのパラメータpucch-NumRepetitionCE-format1によって提供され、そうでない場合、ＵＥに対する最新のＰＲＡＣＨカバレッジ拡張レベルがそれぞれ０、１、２又は３であるかどうかに応じて、上位レイヤパラメータpucch-NumRepetitionCE  Msg4-Level0-r13、pucch-NumRepetitionCE-Msg4-Level1-r13、pucch-NumRepetitionCE-Msg4-Level2-r13、又はpucch-NumRepetitionCE-Msg4-Level3-r13によって提供され、
−  ｉ＝０，１，…，Ｎ−１として、サブフレームｎ＋ｋｉは、サブフレームｎ−１の直後のＮ個の連続したＢＬ／ＣＥ  ＵＬサブフレームであり、ＢＬ／ＣＥ  ＵＬサブフレームのセットは、上位レイヤによって設定される。
ＴＤＤの場合、ＢＬ／ＣＥ  ＵＥは、サブフレームｎ−ｋ（ここで、ｋ∈Ｋであり、Ｋは表１０．１．３．１−１で定義される）内ＵＥのために意図されたＰＤＳＣＨであって、それに対してＨＡＲＱ−ＡＣＫ応答が提供されるものとするＰＤＳＣＨを検出すると、ｉ＝０，１，…，Ｎ−１として、サブフレームｎ＋ｋｉにおいて、１０．１．３．１節に従って導出された同じ
【数４】
2018113689.tif 000004
を用いてＨＡＲＱ−ＡＣＫ応答を送信する。ここで、
−  サブフレームｎ−ｋは、ＰＤＳＣＨが送信される最後のサブフレームである。
−  サブフレームｎ−４は、ＰＤＳＣＨが送信される最後のサブフレームであり、
−  ０＝ｋ０＜ｋ１＜…、ｋＮ−１であり、
【数５】
2018113689.tif 000005
であり、ＰＤＳＣＨは競合解決を含まない場合、
【数６】
2018113689.tif 000006
は、上位レイヤのパラメータpucch-NumRepetitionCE-format1によって提供される。そうでない場合、ＵＥに対する最新のＰＲＡＣＨカバレッジ拡張レベルがそれぞれ０、１、２又は３であるかどうかに応じて、上位レイヤパラメータpucch-NumRepetitionCE  Msg4-Level0-r13、pucch-NumRepetitionCE-Msg4-Level1-r13、pucch-NumRepetitionCE-Msg4-Level2-r13、又はpucch-NumRepetitionCE-Msg4-Level3-r13によって提供される。
−  ｉ＝０，１，…，Ｎ−１として、サブフレームｎ＋ｋｉは、サブフレームｎ−１の直後のＮ個の連続したＢＬ／ＣＥ  ＵＬサブフレームであり、ＢＬ／ＣＥ  ＵＬサブフレームのセットは、上位レイヤによって設定され、
下りリンクＳＰＳ解放を示す検出されたＰＤＣＣＨ／ＥＰＤＣＣＨに対応するＡＣＫの上りリンクタイミングは、上記で定義されたように、検出されたＰＤＳＣＨに対応するＨＡＲＱ−ＡＣＫの上りリンクタイミングと同じとする。
ＢＬ／ＣＥ  ＵＥの場合、下りリンクＳＰＳ解除を示す検出されたＭＰＤＣＣＨに対応するＡＣＫの上りリンクタイミングは、上記で定義されたように、検出されたＰＤＳＣＨに対応するＨＡＲＱ−ＡＣＫの上りリンクタイミングと同じとする。
［…］
８  物理上りリンク共有チャネル関連手順
ＵＥがＳＣＧで設定されている場合、ＵＥは、ＭＣＧ及びＳＣＧの両方に対して、この節で説明する手順を適用するものとする。
−  この手順がＭＣＧに適用されるとき、本節の用語「セカンダリセル」、「複数のセカンダリセル」、「サービングセル」、「複数のサービングセル」は、それぞれ、ＭＣＧに属するセカンダリセル、複数のセカンダリセル、サービングセル、複数のサービングセルを指す。
−  この手順がＳＣＧに適用するとき、本節の用語「セカンダリセル」、「複数のセカンダリセル」、「サービングセル」、「複数のサービングセル」は、それぞれ、ＳＣＧに属するセカンダリセル、複数のセカンダリセル（ＰＳＣｅｌｌを含まない）、サービングセル、複数のサービングセルを指す。本節の用語「プライマリセル」は、ＳＣＧのＰＳＣｅｌｌを指す。
非ＢＬ／ＣＥ  ＵＥについて、ＦＤＤで送信モード１の場合、非サブフレームバンドリング動作、すなわち通常のＨＡＲＱ動作のために、１サービングセルあたり８つの上りリンクＨＡＲＱプロセスが存在し、パラメータe-HARQ-Pattern-r12がＴＲＵＥに設定されているときに、サブフレームバンドリング動作のために、３つの上りリンクＨＡＲＱプロセスが存在し、そうでない場合に、サブフレームバンドリング動作のために、４つの上りリンクＨＡＲＱプロセスが存在するものとする。非ＢＬ／ＣＥ  ＵＥについて、ＦＤＤで送信モード２の場合、非サブフレームバンドリング動作のために、１サービングセルあたり１６の上りリンクＨＡＲＱプロセスが存在し、［８］で説明するように、所与のサブフレームに関連付けられた２つのＨＡＲＱプロセスが存在する。サブフレームバンドリング動作は、上位レイヤによって提供されるパラメータttiBundlingによって設定される。
ＦＤＤであって、ＣＥＭｏｄｅＡで設定されているＢＬ／ＣＥ  ＵＥについては、１サービングセルあたり最大８つの上りリンクＨＡＲＱプロセスが存在するものとする。
ＦＤＤであって、ＣＥＭｏｄｅＢで設定されているＢＬ／ＣＥ  ＵＥについては、１サービングセルあたり最大２つの上りリンクＨＡＲＱプロセスが存在するものとする。
上位レイヤがＦＤＤとＴＤＤのためのサブフレームバンドリングの使用を設定する場合、サブフレームバンドリング動作はＵＬ−ＳＣＨにのみ適用され、４つの連続した上りリンクサブフレームが使用される。
ＢＬ／ＣＥ  ＵＥは、ＰＵＳＣＨとＰＵＣＣＨの同時送信で設定されることは期待されない。
８．０  物理的上りリンク共有チャネルを送信するためのＵＥ手順
本項の「ＵＬ／ＤＬ構成」とは、特に明記されない限り、上位レイヤパラメータのsubframeAssignmentを指す。
ＦＤＤであって、通常のＨＡＲＱ動作の場合、ＵＥは、ＤＣＩフォーマット０／４を有するＰＤＣＣＨ／ＥＰＤＣＣＨの所与のサービスセル及び／又はＵＥのために意図されたサブフレームｎにおけるＰＨＩＣＨ送信を検出した時点で、ＰＤＣＣＨ／ＥＰＤＣＣＨ及びＰＨＩＣＨ情報に従ってサブフレームｎ＋４における対応するＰＵＳＣＨ送信を調整するものとする。
ＦＤＤ−ＴＤＤであって、通常のＨＡＲＱ動作であり、フレーム構造タイプ１を有するサービングセルｃに対するＰＵＳＣＨの場合、ＵＥは、ＤＣＩフォーマット０／４を有するＰＤＣＣＨ／ＥＰＤＣＤＣＣＨ及び／又はＵＥのために意図されたサブフレームｎにおけるＰＨＩＣＨ送信を検出すると、ＰＤＣＣＨ／ＥＰＤＣＣＨ及びＰＨＩＣＨ情報に従って、サブフレームｎ＋４におけるサービングセルｃのための対応するＰＵＳＣＨ送信を調整するものとする。
通常のＨＡＲＱ動作の場合に、ＵＥがＰＨＩＣＨ送信を検出し、同じトランスポートブロックに対する最新のＰＵＳＣＨ送信が８．０．２項に従って空間多重化を使用しており、ＵＥがＵＥのために意図されたサブフレームｎにおけるＤＣＩフォーマット４を有するＰＤＣＣＨ／ＥＰＤＣＣＨを検出せず、ネガティブに確認されたトランスポートブロックの数が、対応するＰＵＳＣＨに関連付けられた最新のＰＤＣＣＨ／ＥＰＤＣＣＨに示されたトランスポートブロックの数に等しい場合、ＵＥは、ＰＨＩＣＨ情報に従って、及び最新のＰＤＣＣＨ／ＥＰＤＣＣＨに従った送信レイヤの数とプリコーディング行列を使用して、関連付けられたサブフレームにおいて対応するＰＵＳＣＨ再送を調整するものとする。
通常のＨＡＲＱ動作の場合に、ＵＥがＰＨＩＣＨ送信を検出し、同じトランスポートブロックに対する最新のＰＵＳＣＨ送信が８．０．２項に従って空間多重化を使用しており、ＵＥがＵＥのために意図されたサブフレームｎにおけるＤＣＩフォーマット４を有するＰＤＣＣＨ／ＥＰＤＣＣＨを検出せず、ネガティブに確認されたトランスポートブロックの数が、対応するＰＵＳＣＨに関連付けられた最新のＰＤＣＣＨ／ＥＰＤＣＣＨに示されたトランスポートブロックの数に等しくない場合、ＵＥは、ＰＨＩＣＨ情報に従って、及び最新のＰＤＣＣＨ／ＥＰＤＣＣＨからネガティブに確認されたトランスポートブロックに対応するレイヤの数に等しい送信レイヤの数とコードブックインデックス０を有するプリコーディング行列を使用して、関連付けられたサブフレームにおいて対応するＰＵＳＣＨ再送を調整するものとする。
ＵＥが所与のサービングセルに対してキャリアインジケータフィールドで設定される場合、ＵＥは、上りリンクＤＣＩフォーマットを有する検出されたＰＤＣＣＨ／ＥＰＤＣＣＨからのキャリアインジケータフィールド値を使用して、対応するＰＵＳＣＨ送信のためのサービングセルを決定するものとする。
ＦＤＤであって、通常のＨＡＲＱ動作の場合、７．２．１項で説明するように、非周期的なＣＳＩ報告をトリガするように設定されたＣＳＩ要求フィールドを有するＰＤＣＣＨ／ＥＰＤＣＣＨがＵＥによってサブフレームｎで検出された場合、ＰＵＳＣＨとＰＵＣＣＨの同時送信がＵＥに対して設定されていないときに、サブフレームｎ＋４でＵＣＩが、対応するＰＵＳＣＨ送信にマッピングされる。
［…］
ＵＥが上位レイヤパラメータttiBundlingで設定されており、ＦＡＬＳＥに設定された上位レイヤパラメータe-HARQ-Pattern-r12で設定されている又は設定されていないとき、ＦＤＤであって、サブフレームバンドリング動作の場合、ＵＥは、ＵＥのために意図されたサブフレームｎにおいてＤＣＩフォーマット０を有するＰＤＣＣＨ／ＥＰＤＣＣＨ及び／又はＵＥが意図されたサブフレームｎ−５におけるＰＨＩＣＨ送信を検出すると、ＰＤＣＣＨ／ＥＰＤＣＣＨ及びＰＨＩＣＨ情報に従って、サブフレームｎ＋４においてバンドルにおける対応する最初のＰＵＳＣＨ送信を調整するものとする。
ＵＥが上位レイヤパラメータttiBundlingで設定されており、ＴＲＵＥに設定された上位レイヤパラメータe-HARQ-Pattern-r12で設定されているとき、ＦＤＤであって、サブフレームバンドリング動作の場合、ＵＥは、ＵＥのために意図されたサブフレームｎにおいてＤＣＩフォーマット０を有するＰＤＣＣＨ／ＥＰＤＣＣＨ及び／又はＵＥが意図されたサブフレームｎ−１においてＰＨＩＣＨ送信を検出すると、ＰＤＣＣＨ／ＥＰＤＣＣＨ及びＰＨＩＣＨ情報に従って、サブフレームｎ＋４においてバンドルにおける対応する最初のＰＵＳＣＨ送信を調整するものとする。
ＦＤＤとＴＤＤのいずれのセルの場合でも、ＰＤＣＣＨ／ＥＰＤＣＣＨ上でシグナルされるようなＮＤＩ、８．６．１項において決定されるようなＲＶ、及び８．６．２項において決定されるようなＴＢＳは、上位レイヤに引き渡される。
非ＢＬ／ＣＥ  ＵＥについて、ＴＤＤ及び送信モード１の場合、１サービングセルあたりのＨＡＲＱプロセス数は、表８−１に示すように、ＵＬ／ＤＬ構成（表４．２−２の［３］）によって決定されるものとする。ＴＤＤ及び送信モード２の場合、非サブフレームバンドリング動作のための１サービングセルあたりのＨＡＲＱプロセスの数は、表８−１に示すように、ＵＬ／ＤＬ構成（表４．２−２の［３］）によって決定される数の２倍とするものとし、［８］で説明するように、所与のサブフレームに関連付けられた２つのＨＡＲＱプロセスが存在する。ＴＤＤであって、送信モード１及び送信モード２のいずれの場合でも、表８−１における「ＴＤＤ  ＵＬ／ＤＬ構成」は、ＵＬ参照ＵＬ／ＤＬ構成がサービングセルに対して定義されている場合に、サービングセルに対するＵＬ参照ＵＬ／ＤＬ構成を指し、それ以外の場合にはサービングセルのＵＬ／ＤＬ構成を指す。
ＣＥＭｏｄｅＡで設定されているＢＬ／ＣＥ  ＵＥについて、ＴＤＤの場合、１サービングセルあたりＨＡＲＱプロセスの最大数は、表８−１における通常のＨＡＲＱ動作に従ってＵＬ／ＤＬ構成（表４．２−２の［３］）によって決定されるものとする。ＴＤＤの場合に、ＣＥＭｏｄｅＢで設定されているＢＬ／ＣＥ  ＵＥついては、１サービングセルあたり２つより多い上りリンクＨＡＲＱプロセスをサポートすることを期待されない。
“Ｎｕｍｂｅｒ  ｏｆ  ｓｙｎｃｈｒｏｎｏｕｓ  ＵＬ  ＨＡＲＱ  ｐｒｏｃｅｓｓｅｓ  ｆｏｒ  ＴＤＤ”と題する、３ＧＰＰ  ＴＲ  ３６．２１３  Ｖ１３．１．１の表８−１は、図２０として再現されている。
［…］
ＵＥは、モード１〜２に示された２つの上りリンク送信モードのうちの１つに従って、ＰＤＣＣＨ／ＥＰＤＣＣＨを介してシグナルされたＰＵＳＣＨ送信を送信するように、上位レイヤシグナリングによってセミパーシステントに設定される。
ＵＥがＣ−ＲＮＴＩによってスクランブルされたＣＲＣでＰＤＣＣＨをデコードするように上位レイヤによって設定される場合、ＵＥは、表８−３で定義された組み合わせに従ってＰＤＣＣＨをデコードし、対応するＰＵＳＣＨを送信するものとする。同じトランスポートブロックに対するＰＵＳＣＨ再送及びこれらのＰＤＣＣＨに対応するこのＰＵＳＣＨのスクランブル初期化はＣ−ＲＮＴＩによる。
ＵＥがＣ−ＲＮＴＩによってスクランブルされたＣＲＣでＥＰＤＣＣＨをデコードするように上位レイヤによって設定される場合、ＵＥは、表８−３Ａで定義された組み合わせに従ってＥＰＤＣＣＨをデコードし、対応するＰＵＳＣＨを送信するものとする。同じトランスポートブロックに対するＰＵＳＣＨ再送及びこれらのＥＰＤＣＣＨに対応するこのＰＵＳＣＨのスクランブル初期化はＣ−ＲＮＴＩによる。
ＵＥがＣ−ＲＮＴＩによってスクランブルされたＣＲＣでＭＰＤＣＣＨをデコードするように上位レイヤによって設定される場合、ＵＥは、表８−３Ｂに定義された組み合わせに従ってＭＰＤＣＣＨをデコードし、対応するＰＵＳＣＨを送信するものとする。同じトランスポートブロックに対するＰＵＳＣＨ再送及びこれらのＭＰＤＣＣＨに対応するこのＰＵＳＣＨのスクランブル初期化はＣ−ＲＮＴＩによる。
送信モード１は、ＵＥが上位レイヤシグナリングによって上りリンク送信モードを割り当てられるまで、ＵＥのためのデフォルトの上りリンク送信モードである。
送信モード２に設定されたＵＥがＤＣＩフォーマット０の上りリンクスケジューリンググラントを受信するとき、ＰＵＳＣＨ送信がトランスポートブロック１に関連付けられ、トランスポートブロック２が無効であると想定するものとする。
“ＰＤＣＣＨ  ａｎｄ  ＰＵＳＣＨ  ｃｏｎｆｉｇｕｒｅｄ  ｂｙ  Ｃ−ＲＮＴＩ”と題する、３ＧＰＰ  ＴＲ  ３６．２１３  Ｖ１３．１．１の表８−３は、図２１として再現されている。
［…］
ＵＥが、Ｃ−ＲＮＴＩによってスクランブルされたＣＲＣでＰＤＣＣＨをデコードするように上位レイヤによって設定され、「ＰＤＣＣＨオーダー」によって開始されたランダムアクセス手順を受信するように設定される場合、ＵＥは、表８−４で定義された組み合わせに従ってＰＤＣＣＨをデコードするものとする。
ＵＥが、Ｃ−ＲＮＴＩによってスクランブルされたＣＲＣでＥＰＤＣＣＨをデコードするように上位レイヤによって設定され、「ＰＤＣＣＨオーダー」によって開始されたランダムアクセス手順を受信するように設定される場合、ＵＥは、表８−４Ａで定義された組み合わせに従ってＥＰＤＣＣＨをデコードするものとする。
ＵＥが、Ｃ−ＲＮＴＩによってスクランブルされたＣＲＣでＭＰＤＣＣＨをデコードするように上位レイヤによって設定され、「ＰＤＣＣＨオーダー」によって開始されたランダムアクセス手順を受信するように設定される場合、ＵＥは、表８−４Ｂに定義された組み合わせに従ってＭＰＤＣＣＨをデコードするものとする。
“ＰＤＣＣＨ  ｃｏｎｆｉｇｕｒｅｄ  ａｓ  ‘ＰＤＣＣＨ  ｏｒｄｅｒ’  ｔｏ  ｉｎｉｔｉａｔｅ  ｒａｎｄｏｍ  ａｃｃｅｓｓ  ｐｒｏｃｅｄｕｒｅ”と題する、３ＧＰＰ  ＴＲ  ３６．２１３  Ｖ１３．１．１の表８−４は、図２２として再現されている。
［…］
ＵＥがＳＰＳ  Ｃ−ＲＮＴＩによってスクランブルされたＣＲＣでＰＤＣＣＨをデコードするように上位レイヤによって設定される場合、ＵＥは、表８−５で定義された組み合わせに従ってＰＤＣＣＨをデコードし、対応するＰＵＳＣＨを送信するものとする。
同じトランスポートブロックに対するＰＵＳＣＨ再送及びこれらのＰＤＣＣＨに対応するこのＰＵＳＣＨのスクランブル初期化は、ＳＰＳ  Ｃ−ＲＮＴＩによる。同じトランスポートブロックに対するＰＵＳＣＨ再送及び対応するＰＤＣＣＨなしのこのＰＵＳＣＨの初期送信のスクランブル初期化は、ＳＰＳ  Ｃ−ＲＮＴＩによる。
ＵＥがＳＰＳ  Ｃ−ＲＮＴＩによってスクランブルされたＣＲＣでＥＰＤＣＣＨをデコードするように上位レイヤによって設定される場合、ＵＥは、表８−５Ａで定義された組み合わせに従ってＥＰＤＣＣＨをデコードし、対応するＰＵＳＣＨを送信するものとする。
同じトランスポートブロックに対するＰＵＳＣＨ再送及びこれらのＥＰＤＣＣＨに対応するこのＰＵＳＣＨのスクランブル初期化は、ＳＰＳ  Ｃ−ＲＮＴＩによる。同じトランスポートブロックに対するＰＵＳＣＨ再送及び対応するＥＰＤＣＣＨなしのこのＰＵＳＣＨの初期送信のスクランブル初期化は、ＳＰＳ  Ｃ−ＲＮＴＩによる。
ＵＥがＳＰＳ  Ｃ−ＲＮＴＩによってスクランブルされたＣＲＣでＭＰＤＣＣＨをデコードするように上位レイヤによって設定される場合、ＵＥは、表８−５Ｂで定義された組み合わせに従ってＭＰＤＣＣＨをデコードし、対応するＰＵＳＣＨを送信するものとする。
同じトランスポートブロックに対するＰＵＳＣＨ再送及びこれらのＭＰＤＣＣＨに対応するこのＰＵＳＣＨのスクランブル初期化は、ＳＰＳ  Ｃ−ＲＮＴＩによる。同じトランスポートブロックに対するＰＵＳＣＨ再送及び対応するＭＰＤＣＣＨなしのこのＰＵＳＣＨの初期送信のスクランブル初期化は、ＳＰＳ  Ｃ−ＲＮＴＩによる。
［…］
ＵＥがＣ−ＲＮＴＩによってスクランブルされたＣＲＣでＰＤＣＣＨをデコードするように設定されているか、設定されていないかに関わらず、ＵＥが一時的Ｃ−ＲＮＴＩによってスクランブルされたＣＲＣでＰＤＣＣＨをデコードするように上位レイヤによって設定される場合、ＵＥは、表８−６で定義された組み合わせに従ってＰＤＣＣＨをデコードし、対応するＰＵＳＣＨを送信するものとする。これらのＰＤＣＣＨに対応するＰＵＳＣＨのスクランブル初期化は一時的Ｃ−ＲＮＴＩによる。
［…］
８．１  上りリンクＤＣＩフォーマットを有するＰＤＣＣＨ／ＥＰＤＣＣＨのためのリソース割り当て
２つのリソース割り当てスキーム、タイプ０とタイプ１は、上りリンクＤＣＩフォーマットを有するＰＤＣＣＨ／ＥＰＤＣＣＨでサポートされる。
リソース割り当てスキーム、タイプ０又はタイプ２は、上りリンクＤＣＩフォーマットを有するＭＰＤＣＣＨでサポートされる。
上りリンクＤＣＩフォーマットでリソース割り当てタイプのビットが存在しない場合、リソース割り当てタイプ０のみがサポートされる。
上りリンクＤＣＩフォーマットでリソース割当てタイプのビットが存在する場合、デコードされたＰＤＣＣＨ／ＥＰＤＣＤＣＣＨに対する選択されたリソース割り当てタイプは、リソース割り当てタイプのビットで示され、タイプ０は値０で示され、タイプ１はそれ以外で示される。ＵＥは、検出された上りリンクＤＣＩフォーマットを有するＰＤＣＣＨ／ＥＰＤＣＣＨにおけるリソース割り当てタイプビットに応じてリソース割り当てフィールドを解釈するものとする。
８．１．１  上りリンクリソース割り当てタイプ０
上りリンクリソース割当てタイプ０に対するリソース割り当て情報は、スケジュールされたＵＥに、ｎＶＲＢによって示される連続して割り当てられた仮想リソースブロックインデックスのセットを示す。スケジューリンググラントにおけるリソース割り当てフィールドは、開始リソースブロック（ＲＢＳＴＡＲＴ）及び連続して割り当てられたリソースブロック（ＬＣＲＢｓ＞＝１）に関する長さに対応するリソース指示値（ＲＩＶ）からなる。ＢＬ／ＣＥ  ＵＥについて、上りリンクリソース割り当てタイプ０は、ＣＥＭｏｄｅＡで設定されたＵＥにのみ適用され、本項では、
【数７】
2018113689.tif 000007
である。リソース指示値は、次によって定義される。
【数８】
2018113689.tif 000008
である場合、
【数９】
2018113689.tif 000009
であり、そうでなければ、
【数１０】
2018113689.tif 000010
である。
８．１．２  上りリンクリソース割り当てタイプ１
［…］
上りリンクリソース割当てタイプ１についてのリソース割り当て情報は、システム帯域幅として
【数１１】
2018113689.tif 000011
を想定する、表７．１．６．１−１に与える、各セットがサイズＰの１つ以上の連続したリソースブロックグループを含むリソースブロックの２つのセットをスケジュールされたＵＥに指示する。
組み合わせのインデックスｒは、
【数１２】
2018113689.tif 000012
からなる。スケジューリンググラントにおけるリソース割り当てフィールドのビット数は、スケジューリンググラントにおけるリソース割り当てフィールドのビット数が以下の場合を除き、ｒを表す。
−  ｒを完全に表すのに必要なものよりも小さい。この場合、スケジューリンググラントのリソース割り当てフィールドのビットがｒのＬＳＢを占め、ｒの残りのビットの値は０と想定されるものとする。
−  ｒを完全に表すのに必要なものよりも大きく、この場合、ｒがスケジューリンググラントのリソース割り当てフィールドのＬＳＢを占める。
組み合わせのインデックスｒは、リソースブロックセット１、ｓ０とｓ１、及びリソースブロックセット２、ｓ２とｓ３−１のそれぞれの開始及び終了ＲＢＧインデックスに対応し、ここで、ｒは、Ｍ＝４及び
【数１３】
2018113689.tif 000013
として、第７．２．１項で定義される式
【数１４】
2018113689.tif 000014
によって与えられる。第７．２．１項は、ｓｉ（ＲＢＧインデックス）がマップする値の順序プロパティと範囲も定義する。対応する終了ＲＢＧインデックスが開始ＲＢＧインデックスに等しい場合、セットに対して開始ＲＢＧインデックスでは単一のＲＢＧのみが割り当てられる。
８．１．３  上りリンクリソース割り当てタイプ２
上りリンクリソース割り当てタイプ２は、ＣＥＭｏｄｅＢで設定されたＢＬ／ＣＥ  ＵＥにのみ適用可能である。上りリンクリソース割り当てタイプ２に対するリソース割り当て情報は、表８．１．３−１で与える狭帯域内で連続して割り当てられたリソースブロックのセットをスケジュールされたＵＥに指示する。
“Ｒｅｓｏｕｒｃｅ  ｂｌｏｃｋ（ｓ）  ａｌｌｏｃａｔｉｏｎ  ｆｏｒ  ＢＬ／ＣＥ  ＵＥ  ｃｏｎｆｉｇｕｒｅｄ  ｗｉｔｈ  ＣＥＭｏｄｅＢ”と題する、３ＧＰＰ  ＴＲ  ３６．２１３  Ｖ１３．１．１の表８．１．３−１は、図２３として再現されている。
［…］
９．１  物理的下りリンク制御チャネル割り当てを決定するためのＵＥ手順
９．１．１  ＰＤＣＣＨ割り当て手順
各サービングセルの制御領域は、［３］の第６．８．１項に従って、０からＮＣＣＥ，ｋ−１まで番号が付けられたＣＣＥのセットからなる。ここで、ＮＣＣＥ，ｋは、サブフレームｋの制御領域におけるＣＣＥの総数である。
ＵＥは、制御情報のための上位レイヤシグナリングによって設定されたような１つ以上のアクティブ化されたサービスセル上のＰＤＣＣＨ候補のセットを監視するものとする。ここで、監視とは、すべての監視されたＤＣＩフォーマットに従って、セット内のＰＤＣＣＨの各々をデコードを試行することを示唆する。
ＢＬ／ＣＥ  ＵＥはＰＤＣＣＨを監視することは必要とされない。
監視するＰＤＣＣＨ候補のセットは、検索空間の観点から定義され、アグリゲーションレベルＬ∈｛１、２、４、８｝での検索空間
【数１５】
2018113689.tif 000015
は、ＰＤＣＣＨ候補のセットによって定義される。ＰＤＣＣＨが監視される各サービングセルに対して、検索空間
【数１６】
2018113689.tif 000016
のＰＤＣＣＨｍに対応するＣＣＥは、次の式で与えられる。
【数１７】
2018113689.tif 000017
ここで、Ｙｋは、以下に定義され、ｉ＝０，…，Ｌ−１である。共通検索空間については、ｍ´＝ｍである。ＰＤＣＣＨについては、ＵＥ固有の検索空間であり、ＰＤＣＣＨが監視されるサービングセルについては、監視しているＵＥがキャリアインジケータフィールドで設定される場合、
【数１８】
2018113689.tif 000018
であり、ここでｎＣＩは、キャリアインジケータフィールド値であり、そうではない場合、
監視しているＵＥがキャリアインジケータフィールドで設定されない場合、ｍ´＝ｍであり、ここで、ｍ＝０，…,Ｍ（Ｌ）−１である。Ｍ（Ｌ）は、所与の検索空間において監視するためのＰＤＣＣＨ候補の数である。
ＵＥが上位レイヤパラメータcif-InSchedulingCell-r13で設定されている場合、キャリアインジケータフィールド値はcif-InSchedulingCell-r13に対応し、そうでなければ、キャリアインジケータフィールド値は［１１］で与えられたServCellIndexと同じである。
ＵＥは、プライマリセル上のアグリゲーションレベル４及び８の各々において、すべての非ＤＲＸサブフレームにおける１つの共通検索空間を監視するものとする。
ＵＥは、上位レイヤによって構成されるときにセル上のＭＢＭＳを受信するのに必要なＰＤＣＣＨを復号するために、セル上の共通検索空間を監視するものとする。
ＵＥがＥＰＤＣＣＨ監視のために設定されておらず、ＵＥがキャリアインジケータフィールドで設定される場合、ＵＥは、すべての非ＤＲＸサブフレームにおける各アクティブサービングセルでのアグリゲーションレベル１、２、４、８の各々で１つのＰＤＣＣＨ  ＵＥ固有の検索空間を監視するものとする。
ＵＥがＥＰＤＣＣＨ監視のために設定されておらず、ＵＥがキャリアインジケータフィールドで設定される場合、ＵＥは、すべての非ＤＲＸサブフレームにおける上位レイヤシグナリングによって設定される１つ以上の活性化されたサービスセルでのアグリゲーションレベル１、２、４、８の各々で１つ以上のＵＥ固有の検索空間を監視するものとする。
ＵＥがサービングセルでＥＰＤＣＣＨ監視のために設定され、そのサービングセルがアクティブ化され、ＵＥがキャリアインジケータフィールドで設定されない場合、ＵＥは、すべての非ＤＲＸサブフレームにおいてそのサービングセルでのアグリゲーションレベル１、２、４、８の各々で１つのＰＤＣＣＨ  ＵＥ固有の検索空間を監視するものとする。ここで、ＥＰＤＣＣＨは、そのサービングセルで監視されない。
ＵＥがサービングセルでＥＰＤＣＣＨ監視のために設定され、そのサービングセルがアクティブ化され、ＵＥがキャリアインジケータフィールドで設定される場合、ＵＥは、すべての非ＤＲＸサブフレームにおける上位レイヤシグナリングによって設定されるように、そのサービングセルでのアグリゲーションレベル１、２、４、８の各々で１つ以上のＰＤＣＣＨ  ＵＥ固有の検索空間を監視するものとする。ここで、ＥＰＤＣＣＨは、そのサービングセルで監視されない。
プライマリセルでの共通及びＰＤＣＣＨ  ＵＥ固有の検索空間は、重複することがある。
サービングセルｃでのＰＤＣＣＨの監視に関連付けられたキャリアインジケータフィールドで設定されるＵＥは、サービングセルｃのＰＤＣＣＨ  ＵＥ固有の検索空間において、キャリアインジケータフィールド、及びＣ−ＲＮＴＩによってスクランブルされるＣＲＣで設定されるＰＤＣＣＨを監視するものとする。
プライマリセルでのＰＤＣＣＨの監視に関連付けられたキャリアインジケータフィールドで設定されるＵＥは、プライマリセルのＰＤＣＣＨ  ＵＥ固有の検索空間において、キャリアインジケータフィールド、及びＳＰＳ  Ｃ−ＲＮＴＩによってスクランブルされたＣＲＣで設定されるＰＤＣＣＨを監視するものとする。
ＵＥは、キャリアインジケータフィールドなしでＰＤＣＣＨのための共通検索空間を監視するものとする。
ＰＤＣＣＨが監視されるサービスセルについて、ＵＥがキャリアインジケータフィールドで設定されない場合、キャリアインジケータフィールドなしでＰＤＣＣＨのためのＰＤＣＣＨ  ＵＥ固有の検索空間を監視するものとし、ＵＥがキャリアインジケータフィールドで設定される場合、キャリアインジケータフィールドでＰＤＣＣＨのためのＰＤＣＣＨ  ＵＥ固有の検索空間を監視するものとする。
ＵＥがＬＡＡ  Ｓｃｅｌｌで設定されない場合に、ＵＥは、別のサービングセルにおけるセカンダリセルに対応するキャリアインジケータフィールドでＰＤＣＣＨを監視するように設定される場合、そのセカンダリセルのＰＤＣＣＨを監視することは期待されない。
ＵＥがＬＡＡ  Ｓｃｅｌｌで設定される場合に、ＵＥは、別のサービングセルにおけるＬＡＡ  Ｓｃｅｌｌに対応するキャリアインジケータフィールドでＰＤＣＣＨを監視するように設定される場合、そのＬＡＡ  ＳＣｅｌｌのＰＤＣＣＨ  ＵＥ固有の検索空間を監視することは期待されない。
−  ここで、ＵＥは、ＬＡＡ  ＳｃｅｌｌにおいてキャリアインジケータフィールドでＰＤＣＣＨを監視するように設定されるとは期待されない。
−  ここで、ＵＥが、別のサービングセルにおけるＬＡＡ  Ｓｃｅｌｌに対応するキャリアインジケータフィールドでＰＤＣＣＨを監視するように設定される場合、ＬＡＡ  Ｓｃｅｌｌにおけるサブフレーム内の２番目のスロットで開始するＰＤＳＣＨでＵＥがスケジュールされることは期待されない。
ＰＤＣＣＨが監視されるサービングセルについては、ＵＥは、少なくとも同じサービングセルについてＰＤＣＣＨ候補を監視するものとする。
Ｃ−ＲＮＴＩ又はＳＰＳ  Ｃ−ＲＮＴＩによってスクランブルされたＣＲＣを有し、共通のペイロードサイズを有し、同じ第１のＣＣＥインデックスｎＣＣＥ（１０．１項に記載）を有するが、プライマリセルでの
共通検索空間
ＰＤＣＣＨ  ＵＥ固有の検索空間
において［４］で定義するように異なるＤＣＩ情報のセットで設定されるＵＥは、Ｃ−ＲＮＴＩ又はＳＰＳ  Ｃ−ＲＮＴＩによってスクランブルされるＣＲＣを有するＰＤＣＣＨ候補に対して、
ＵＥがプライマリセルでのＰＤＣＣＨの監視に関連付けられたキャリアインジケータフィールドで設定される場合、共通検索空間におけるＰＤＣＣＨのみがプライマリセルによって送信され、
さもなければ、ＵＥ固有の検索空間におけるＰＤＣＣＨのみが、プライマリセルによって送信される。
ＣＩＦ及びＣ−ＲＮＴＩによってスクランブルされるＣＲＣで、所与のＤＣＩフォーマットサイズを有する、所与のサービングセルにおけるＰＤＣＣＨ候補を監視するように設定されたＵＥは（ここで、ＰＤＣＣＨ候補は、与えられたＤＣＩフォーマットサイズに対するＣＩＦの１つ以上の可能な値を有する可能性がある）、与えられたＤＣＩフォーマットサイズに対するＣＩＦの可能な値のいずれかに対応する任意のＰＤＣＣＨ  ＵＥ固有の探索空間における所与のサービングセルにおいて、所与のＤＣＩフォーマットサイズを有するＰＤＣＣＨ候補が送信され得ると想定するものとする。
サービングセルがＬＡＡ  Ｓｃｅｌｌであり、Ｓｃｅｌｌにたいする上位レイヤパラメータsubframeStartPositionが「ｓ０７」を示す場合、
−  ＵＥは、サブフレームの１番目のスロットと２番目のスロットの両方において、ＳｃｅｌｌでのＰＤＣＣＨ  ＵＥ固有の検索空間候補を監視し、検索空間を定義するアグリゲーションレベルは、表９．１．１−１Ａに列挙されたものであり、
そうでなければ、
−  検索空間を定義するアグリゲーションレベルは表９．１．１−１に列挙されたものである。
サービングセルがＬＡＡ  Ｓｃｅｌｌである場合、ＵＥは、ＬＡＡ  ＳＣｅｌｌで、第１３Ａ項に記載されるＣＣ−ＲＮＴＩによりスクランブルされたＤＣＩ  ＣＲＣを伴うＰＤＣＣＨを受信してよい。
ＵＥが監視するものとするＤＣＩフォーマットは、第７．１項で定義される各サービスセルごとに設定された送信モードに依存する。
ＵＥがサービングセルに対して上位レイヤパラメータskipMonitoringDCI-format0-1Aで設定される場合、ＵＥは、そのサービングセルに対するＵＥ固有の検索空間におけるＤＣＩフォーマット０／１Ａを有するＰＤＣＣＨを監視する必要はない。
ＵＥが、サービングセルに対するアグリゲーションレベルＬでＵＥ固有の検索空間に対する上位レイヤパラメータpdcch-capitions Reductionsで設定される場合、ＰＤＣＣＨ候補の対応する数は、
【数１９】
2018113689.tif 000019
であり、ここで、ａの値は、表９．１．１−２に従って決定され、
【数２０】
2018113689.tif 000020
は、Ｍ（Ｌ）を
【数２１】
2018113689.tif 000021
で置換することによって、表９．１．１−１に従って決定される。
“ＰＤＣＣＨ  ｃａｎｄｉｄａｔｅｓ  ｍｏｎｉｔｏｒｅｄ  ｂｙ  ａ  ＵＥ”と題する、３ＧＰＰ  ＴＲ  ３６．２１３  Ｖ１３．１．１の表９．１．１−１は、図２４として再現されている。
“ＰＤＣＣＨ  ＵＥ−ｓｐｅｃｉｆｉｃ  ｓｅａｒｃｈ  ｓｐａｃｅ  ｃａｎｄｉｄａｔｅｓ  ｍｏｎｉｔｏｒｅｄ  ｂｙ  ａ  ＵＥ  ｏｎ  ＬＡＡ  Ｓｃｅｌｌ”と題する、３ＧＰＰ  ＴＲ  ３６．２１３  Ｖ１３．１．１の表９．１．１−１Ａは、図２５として再現されている。
“Ｓｃａｌｉｎｇ  ｆａｃｔｏｒ  ｆｏｒ  ＰＤＣＣＨ  ｃａｎｄｉｄａｔｅｓ  ｒｅｄｕｃｔｉｏｎ”と題する、３ＧＰＰ  ＴＲ  ３６．２１３  Ｖ１３．１．１の表９．１．１−２は、図２６として再現されている。
共通の検索空間について、Ｙｋが２つの集計レベル、Ｌ＝４及びＬ＝８に対して０に設定される。
アグリゲーションレベルＬでのＵＥ固有の検索空間
【数２２】
2018113689.tif 000022
について、変数Ｙｋは、
【数２３】
2018113689.tif 000023
によって定義される。ここで、Ｙ−１＝ｎＲＮＴＩ≠０であり、Ａ＝３９８２７であり、
【数２４】
2018113689.tif 000024
であり、ｎｓは、無線フレーム内のスロット番号である。
ｎＲＮＴＩのために使用されるＲＮＴＩ値は、下りリンクにおいては第７．１項、上りリンクにおいて第８項で定義される。
【誤訳訂正２】
【訂正対象書類名】明細書
【訂正対象項目名】００４８
【訂正方法】変更
【訂正の内容】
【００４８】
また、ＲＡＮ１＃８６ｂｉｓ  Ｃｈａｉｒｍａｎ’ｓ  Ｎｏｔｅ及びＲＡＮ１＃８７  Ｃｈａｉｒｍａｎ’ｓ  Ｎｏｔｅ［６］［７］は、ｙをスロット内のＯＦＤＭシンボルの数として、スロット、ミニスロット（スロットの短縮版）等のスケジューリング単位として送信間隔を定義する方法を次のように説明している。
合意：
・  ＮＲフレーム構造に対して、少なくとも次のものがサポートされる。
−  以下のタイミング関係が動的に及び／又はセミパーシステントにＵＥに指示される。
・  ＤＬデータ受信と対応する確認応答のタイミング関係
・  ＵＬ割り当てと対応するＵＬデータ送信のタイミング関係
−  以下のタイミング関係が固定的及び／又は動的に及び／又はセミパーシステント示されるかどうかについては、ＦＥＳとする。
・  ＤＬ割り当てと対応するＤＬデータ受信のタイミング関係
−  上記の２つのサブバレット（sub-bullet）について
・  各タイミング関係についての可能な値は、例えば、ＵＥ処理能力、ギャップオーバーヘッド、ＵＬカバレッジなどをさらに考慮して研究されなければならない。
・  各タイミング関係についてデフォルト値（存在する場合）はＦＦＳとする。
合意：
・  ＤＬデータ受信と対応する確認応答のタイミング関係は、（ＦＦＳのうちどれかの１つ以上）とすることができる。
−  Ｌ１シグナリング（例えば、ＤＣＩ）によって動的に指示される
−  上位レイヤを介してセミパーシステントにＵＥに指示される。
−  上位レイヤによる指示と動的Ｌ１シグナリング（例えば、ＤＣＩ）の組み合わせ
・  ＦＦＳ：ＤＬデータ受信と対応する確認応答の最小間隔
・  ＦＦＳ：共通チャネル（例：ランダムアクセス）
合意：
・  ＵＬ割り当てと対応するＵＬデータ送信のタイミング関係は、（ＦＦＳのうちどれかの１つ以上）とすることができる。
−  Ｌ１シグナリング（例えば、ＤＣＩ）によって動的に指示される
−  上位レイヤを介してセミパーシステントにＵＥに指示される。
−  上位レイヤによる指示と動的Ｌ１シグナリング（例えば、ＤＣＩ）の組み合わせ
・  ＦＦＳ：ＵＬ割り当てと対応するＵＬデータ送信の最小間隔
・  ＦＦＳ：共通チャネル（例：ランダムアクセス）
合意：
・  ＮＲは、所与のＵＥに対して複数のＤＬ  ＨＡＲＱプロセスの動作をサポートする。
・  ＮＲは、所与のＵＥに対して複数のＵＬ  ＨＡＲＱプロセスの動作をサポートする。
・  ＦＦＳ：ＵＲＬＬＣの場合
合意：
・  ＮＲは、一部のＵＥのために１つのＤＬ  ＨＡＲＱプロセスの動作をサポートする。
・  ＮＲは、一部のＵＥのために１つのＵＬ  ＨＡＲＱプロセスの動作をサポートする。
・  ＦＦＳ：上記２つのバレットをサポートするための条件
注：これは、ｇＮＢがバックツーバック（back-to-back）でスケジュールしなければならないことを意味しない。
注：これは、ＵＥがＫ１＝０及び／又はＫ２＝０をサポートしなければならないことを意味しない。